【手続補正書】
【提出日】平成23年12月6日(2011.12.6)
【手続補正１】
【補正対象書類名】特許請求の範囲
【補正対象項目名】全文
【補正方法】変更
【補正の内容】
【特許請求の範囲】
【請求項１】
棒状化粧料（１００）を収嵌保持し、側壁に螺合突部（５３）を突設した保持筒（５）と、該保持筒（５）を上下摺動自在に内装し、側壁に前記螺合突部（５３）を貫通させ回動不能にガイドするガイド溝（６１ａ）を穿設する身筒（６）と、該身筒（６）に回動可能に外嵌し、内壁に前記保持筒（５）の螺合突部（５３）を螺合する螺旋溝（７３）を有する螺筒（７）とよりなるカートリッジ体（２）を、
上部にキャップ（３）を挿脱可能に嵌合する嵌合部（８７）を設けた本体筒（８）と、該本体筒（８）に回動自在に設けられたスリーブ（９）とよりなる容器本体（１）の下方に設けられた下部開口部（８１ｂ）より挿入し、
前記カートリッジ体（２）の身筒（６）の基部（６３）を容器本体（１）の本体筒（８）内に挿脱可能に係止すると同時にスリーブ（９）内で螺筒（７）を相対回転不能に係合する棒状化粧料容器において、
前記身筒（６）には前記ガイド溝（６１ａ）の下方に弾性部（６７）を設け、該弾性部（６７）の表面上方に係合突部（６８）、表面下方に押圧突部（６９）を形成し、
前記螺筒（７）には前記螺旋溝（７３）の下方に前記身筒（６）の係合突部（６８）と係合する係合部（７５）を形成し、
前記スリーブ（９）には下端部に前記身筒（６）の押圧突部（６９）を内側に押圧変形させる係合解除部（９９）を形成することにより、
カートリッジ体（２）が容器本体（１）から外された状態で身筒（６）外面の係合突部（６８）と螺筒（７）内面の係合部（７５）とがロックされ相対回動不能となり、保持筒（５）を螺進退不能にすると共にカートリッジ体（２）が容器本体（１）に装着されることにより身筒（６）外面の係合突部（６８）と螺筒（７）内面の係合部（７５）とのロックを解除して相対回動可能にし、保持筒（５）を螺進退可能にすることを特徴とする棒状化粧料容器。
【手続補正２】
【補正対象書類名】明細書
【補正対象項目名】全文
【補正方法】変更
【補正の内容】
【発明の詳細な説明】
【発明の名称】棒状化粧料容器
【技術分野】
【０００１】
本発明は、口紅、リップグロス、リップクリーム等の棒状化粧料の繰り出し機構を内装した棒状化粧料容器に関するものである。さらに詳述するに棒状化粧料を収嵌保持する保持筒を身筒内に嵌挿し螺進退するカートリッジ体を、容器本体下方より挿入する棒状化粧料容器に関する。
【背景技術】
【０００２】
従来、高級感を出すため金属製の外装部材にアルマイト、メッキ、印刷、塗装等を施した棒状化粧料容器であっても化粧料の消費が終了した時点で廃棄されていた。また金属製の容器本体を用いた棒状化粧料容器であっても、内部の繰り出し機構はプラスチック製が主流で金属とプラスチックが分別されないまま廃棄されてきた。
【０００３】
こうした問題を解決する手段として口紅、リップグロス、リップクリーム等の棒状化粧料を繰り上げ繰り下げする繰り出し機構を有するカートリッジ体を容器本体下方より挿脱可能に装着するカートリッジ式棒状化粧料容器が特許文献１で提案されている。
【０００４】
【特許文献１】特開平１１−５５４６４号公報
【０００５】
特許文献１ではカートリッジ体を保持筒と身筒と螺筒で構成し、容器本体をスリーブ、本体筒、キャップで構成し、身筒の基部を本体筒内に挿脱可能に係合させてカートリッジ式棒状化粧料容器が組み上げられている。さらに組み上げられたカートリッジ式棒状化粧料容器のスリーブを本体筒内へ僅か押し込む事によって、カートリッジ体を容器本体より取り外し可能に構成するものである。
【発明の開示】
【発明が解決しようとする課題】
【０００６】
特許文献１において、容器本体と分離するカートリッジ体はプラスチックにより成形される。そのためカートリッジ体を廃棄する際には、資源ごみとして分別する事が可能であり、資源としてリサイクルすることが可能となっていた。また高価な加飾を施した容器本体を再利用することができた。
【０００７】
しかし、従来のカートリッジ体自体は外部に螺筒と身筒の下部が露出しているため相対回転可能となっていた。そのためカートリッジ単体で繰り出し操作が行え、化粧料の塗布が行えてしまい、カートリッジ式容器と言えるものではなかった。またカートリッジ体単体で棒状化粧料が繰り上がってしまうため棒状化粧料で他所を汚してしまったり、棒状化粧料を損傷してしまったりする危険性もあった。
【０００８】
本発明はカートリッジ体を容器本体に挿入するまで身筒と螺筒の間をロックしてカートリッジ体単体での使用を不可にし、棒状化粧料の不用意に繰り上がりを確実に防止できるようにすることを目的とする。
【０００９】
また、色の異なる棒状化粧料を収嵌保持するカートリッジ体や新規なカートリッジ体を容器本体の下方から容易に交換できるようにすることで一つの容器本体を複数のカートリッジ体に有効活用できるようにすることを目的とする。
【００１０】
さらに棒状化粧料を使い終えたカートリッジ体を廃棄する際には、容器本体をプラスチック製のカートリッジ体との分別を容易にすることを目的とする。
【課題を解決するための手段】
【００１１】
本発明棒状化粧料容器は、上記目的を達成するため容器本体１に組み込まれていない単体のカートリッジ体２より棒状化粧料１００を収嵌保持する保持筒５が不用意に突出しないよう容器本体１に装着するまで身筒６と螺筒７との間をロックするものである。
【００１２】
即ち、身筒６のガイド溝６１ａの下方に弾性部６７を設け、弾性部６７の表面上方に係合突部６８、表面下方に押圧突部６９を形成し、螺筒７の螺旋溝７３の下方に身筒６の係合突部６８と係合する係合部７５を形成し、スリーブ９の下端部に前記身筒６の押圧突部６９を内側に押圧変形させる係合解除部９９を形成することにより、カートリッジ体２が容器本体１から外された状態で身筒６外面の係合突部６８と螺筒７内面の係合部７５とがロックされ相対回動不能となり、保持筒５を螺進退不能にすると共にカートリッジ体２が容器本体１に装着されることにより身筒６外面の係合突部６８と螺筒７内面の係合部７５とのロックを解除して回動可能にすると共に保持筒５を螺進退可能にする。
【発明の効果】
【００１３】
本発明棒状化粧料容器にあっては次に記載する効果を奏する。即ち、カートリッジ体２は容器本体１から分離されて身筒６外面の係合突部６８と螺筒７内面の係合部７５との係止により螺筒７の回動をロックされる。そのためカートリッジ体２が単体の状態で棒状化粧料１００をカートリッジ体２の上端より不用意に繰り上げられることはなくなる。またカートリッジ体２は容器本体１に装着されて螺筒７のロックを解除される。そして、はじめて繰り出し容器として棒状化粧料１００を繰り出せる。
【発明を実施するための最良の形態】
【００１４】
以下図面に基づき本発明を説明する。図１は本発明棒状化粧料繰出し容器の組立て説明図で左反面は外観を示し、右反面は断面形状を示す。
【００１５】
図において容器本体１は本発明棒状化粧料容器の外筐を構成するものでキャップ３と本体筒８とスリーブ９よりなる。またカートリッジ体２は口紅、リップグロス、リップクリーム等の棒状化粧料１００を収嵌保持する保持筒５と保持筒５を上下摺動自在且つ回動不能に内装する身筒６と螺筒７よりなり、容器本体１に挿脱可能に装着される。
【００１６】
以下カートリッジ体２について容器本体１とカートリッジ体２との組立て説明図である図２およびカートリッジ体２の組立て説明図である図３に従い説明を加える。図３において身筒６のガイド溝６１ａ、水平部６１ｂ、水平部６１ｃは外観を示す。
【００１７】
図３に示されるように棒状化粧料１００を矢印Ｂ方向に収嵌保持する保持筒５の側壁５１には一対の螺合突部５３が突設されている。
【００１８】
保持筒５は身筒６に矢印Ｃ方向から内装されるもので、身筒６の側面には軸線Ｌに平行で、螺合突部５３を滑らかに摺動可能に係合するガイド溝６１ａが穿設されている。保持筒５の螺合突部５３は身筒６の外側面より僅か突出するようにガイド溝６１ａを貫通し回動不能かつ上下摺動自在にガイドされる。
【００１９】
身筒６の側面でガイド溝６１ａの設けられる部位は螺筒７を回動可能にガイドするガイド部６５を形成する。また身筒６の上端は拡径され、ガイド部６５に回動可能に装着された螺筒７の抜け落ちを防止する。そこで螺筒７内面に形成された螺旋溝７３はガイド溝６１ａから僅か突出する螺合突部５３と螺合され、螺筒７と身筒６の相対回動を介し保持筒５を安定して螺進退させることができる。
【００２０】
螺筒７は内壁７１に保持筒５の螺合突部５３を螺合する螺旋溝７３を有する。図３において螺旋溝７３は多状螺子を隙間なく全周に形成されており、螺合突部５３の螺合組立てにおける位置合わせ作業を不要にしている。また螺筒７は身筒６を構成するガイド部６５に外嵌し回動することにより螺合突部５３と共に保持筒５を螺進退する。また螺筒７には螺旋溝７３の下方に等間隔に配置され身筒６との相対回転を係止する縦リブ状の係合部７５が設けられている。さらに螺筒７には外側面に等間隔に配置され、スリーブ９の内面に設けられた係合部９３と係合し螺筒７とスリーブ９とを一体に回動可能にする縦リブ状の係合突部７７とを設けている。さらに係合部７５の直表側にあたる螺筒７の外面部は拡径され螺旋溝７３との境界にスリーブ９に当接される段部７９を形成している。
【００２１】
身筒６に形成されるガイド溝６１ａの上端は螺合突部５３の直進を阻むと共に変形しやすいよう狭いスリット６６で上端を開放し、下端は螺合突部５３の直進を阻むよう閉鎖している。したがって螺合突部５３がガイド溝６１ａの上端、下端に当接することで保持筒５の上下摺動の上限下限が決定される。ガイド溝６１ａの上端および下端には、保持筒５の螺合突部５３の垂直方向の高さに対応した水平部６１ｂ、６１ｃが設けられており、螺合突部５３が突入することにより保持筒５を上限下限でロックする。
【００２２】
またガイド部６５の下方には、ガイド部６５より僅か拡径した基部６３が設けられ、基部６３の外周壁には、上下二列で周方向に等間隔に突出する係合突部６４ａ、６４ｂが設けられている。さらに係合突部６４ｂの下部には嵌合部６２が設けられ容器本体１を構成する本体筒８の下部開口部８１ｂにガタ付きのないように嵌合されている。
【００２３】
さらに基部６３を逆Ｕ字状に貫通する貫通孔６０の内側には片持ち梁状の弾性部６７が設けられ、弾性部６７の遊端側表面には螺筒７の内面下方の係合部７５に係合するよう縦リブを等間隔に配置するように係合突部６８が形成されている。
また係合突部６８の直下には容器本体１を構成するスリーブ９に押圧されて身筒６と螺筒７との係止を解除する押圧突部６９が形成されている。
【００２４】
次に容器本体１について図２および容器本体１の組立て説明図である図４に従い説明を加える。図４は図２に示した容器本体１の組立て説明図である。容器本体１は、本体筒８、スリーブ９、嵌合筒８５、キャップ３とより構成されている。
【００２５】
キャップ３、本体筒８および嵌合筒８５は外部に露出する部分であり、アルマイト、鍍金、印刷、塗装等で加飾し、商品の差別化をする。さらに本体筒８は嵌合筒８５を嵌着する上部開口部８１ａと、有底筒の底部を開口しカートリッジ体２を挿脱する下部開口部８１ｂを有する。
【００２６】
本体筒８の内底部にはスリーブ９の回動および僅かの上下摺動を可能にガイドするスリーブガイド部８３が矢印Ｈ方向より嵌着される。スリーブガイド部８３の内壁は、スリーブ９の拡径部９１よりも僅かに大径になっており、スリーブ９の拡径部９１の挿入を可能にする。スリーブガイド部８３の内壁上部、下部にはストッパー８４ａ、８４ｂが形成され、拡径部９１の上部を形成する段部９５がストッパー８４ａに、拡径部９１の下端がストッパー８４ｂに当接しスリーブ９の上下摺動の範囲を規制する。
【００２７】
ストッパー８４ｂの下方内壁には内面リブ８２が形成され、内面リブ８２には身筒６下部に形成される嵌合突部６４ｂが回動不能、抜脱可能に係合される。またストッパー８４ｂは身筒６の基部６３に上下二列で周方向に等間隔に突出する係合突部６４ａと６４ｂとの間に係合挟持され、カートリッジ体２が本体筒８から抜け落ちすることを防止する。
【００２８】
またスリーブガイド部８３の上端より下方に向け細長く開口する切り欠き部８６が設けられ、スリーブガイド部８３上部を拡開させる事により、スリーブ９の拡径部９１を矢印Ｇ方向よりスリーブガイド部８３内へ挿入することを容易にしている。本体筒８の嵌着後はスリーブガイド部８３の拡開が本体筒８の内面で阻止され、スリーブ９を抜落しないようになっている。
【００２９】
嵌合筒８５は上部に矢印Ｅ方向よりキャップ３を挿脱可能に嵌合する嵌合部８７を設ける。嵌合筒８５の中央は拡径され上部開口部８１ａに当接して位置決めする位置決め部８８が形成されている。嵌合筒８５の下部は本体筒８の上部開口部８１ａに嵌合固定する固定部８９が設けられている。嵌合筒８５の内面はスリーブ９を回動可能にガイドするため拡径部９１より小径に形成され固定部８９を矢印Ｆ方向よりスリーブ９を内挿するように本体筒８に嵌着する。
【００３０】
スリーブ９の上端には棒状化粧料１００の出没口９７が穿設されている。出没口９７の周縁部は容器本体１にカートリッジ体２を挿入した際、出没口９７の周縁部に身筒６の上端が当接しスリーブ９を押し上げる。また、スリーブ９の下部外周には、外径を拡げた拡径部９１が設けられ、拡径部９１の上方に段部９５を構成している。
【００３１】
また拡径部９１の内面は身筒６の係合突部６８と螺筒７の係合部７５との係合を解除する係合解除部９９を形成している。
【００３２】
図５は容器本体１とカートリッジ体２の部分断面図で示した身筒６と螺筒７とのロック解除説明図である。キャップ３および棒状化粧料１００は簡素化のため省略している。図５（Ａ）では図２に示されるように容器本体１の下方からカートリッジ体２を挿入する状態を示す。本体筒８内のスリーブガイド部８３内で上下摺動および回動可能にされたスリーブ９は下降され拡径部９１の下端がストッパー８４ｂに当接している。
【００３３】
カートリッジ体２の保持筒５はガイド溝６１ａの下端まで繰り下げられ、ガイド溝６１ａから僅か突出する螺合突部５３と螺筒７の内壁７１に設けられる螺旋溝７３とが螺合している。螺旋溝７３の下側に設けられる縦リブ状の係合部７５は身筒６の基部６３に設けられた係合突部６８に係止し螺筒７の回動を防止している。即ち図５（Ａ）の状態では保持筒５は身筒６内で螺進退されない。この状態では棒状化粧料の繰り出しは不可能になっている。
【００３４】
図５（Ｂ）は図１に示されるように容器本体１にカートリッジ体２を装着された状態を示す。図５（Ａ）において拡径部９１の下端がストッパー８４ｂに当接し下降していたスリーブ９はカートリッジ体２を本体筒８の底部から挿入することにより上端内面を身筒６の上端に当接されて押し上げられる。押し上げられたスリーブ９は段部９５をストッパー８４ａに当接しカートリッジ体２の更なる挿入で、スリーブ９の拡径部９１の下端内面で形成される係合解除部９９は身筒６の押圧突部６９に接触する。同時にスリーブ９の内面に形成された係合部９３は螺筒７の外周に形成する係合突部７７に一体に回動するよう係合される。
【００３５】
押圧突部６９は身筒６の下方の基部６３に形成された弾性部６７の表面に突設されており、係合解除部９９の押圧により片持ち梁状の弾性部６７は図５（Ｂ）のように中心側に曲げられる。このとき弾性部６７の遊端側に形成される係合突部６８は大きく中心側に移動し螺筒７の係合部７５との係合が外れ螺筒７は身筒６のガイド部６５に沿って回動可能となる。螺筒７の回動は螺旋溝７３に螺合する保持筒５をガイド溝６１ａに沿って上下動し、保持筒５に装着される棒状化粧料１００をスリーブ９の上端より螺進退させる。
【００３６】
図５（Ｂ）において螺筒７はスリーブ９と一体に回動されることから、スリーブ９と本体筒８との相対回動は保持筒５を螺進退させ、保持筒５に装着される棒状化粧料１００を螺進退する。
【００３７】
さらに図５（Ｂ）の状態からスリーブ９の上端を下方に押圧し、摺動することによりスリーブ９の段部９５内面を螺筒７の係合部７５直上に形成される段部７９に当接し係合突部６４ａ及び６４ｂの間とストッパー８４ｂ、係合突部６４ｂと内面リブ８２との係合がそれぞれ解除されカートリッジ体２を容器本体１より容易に取り外すことができる。
【００３８】
以上本発明棒状化粧料容器の説明で螺合突部５３を多条螺子状の螺旋溝７３に螺合させる構成に基づいて説明してきたが、螺合突部５３を二条の螺旋溝に螺合するようにした構成についても本発明に含まれる。
【００３９】
また本発明棒状化粧料容器の説明でカートリッジ体２を容器本体１の底部に装着する際、スリーブ９を押し上げながら挿入する構造としているが、これに限定されるものではない。例えば身筒６の下部に摘みを設けて引き抜けるようにしたりカートリッジ体２を構成する身筒６と容器本体１の下部とを螺子締めしたりすることによりスリーブ９の上下摺動なしでも容器本体１とカートリッジ体２とを分離可能にできる。
【００４０】
以上説明のとおり、本発明粉状化粧料容器にあっては発明の効果の欄に記載する効果を有する。
【図面の簡単な説明】
【００４１】
【図１】本発明棒状化粧料繰出し容器の組立て説明図である。
【図２】本発明棒状化粧料容器の容器本体とカートリッジ体との組立て説明図である    。
【図３】本発明棒状化粧料容器のカートリッジ体の組立て説明図である。
【図４】本発明棒状化粧料容器の容器本体の組立て説明図である。
【図５】身筒と螺筒とのロック解除説明図である。
【符号の説明】
【００４２】
１・・・・容器本体    
２・・・・カートリッジ体    
３・・・・キャップ    
５・・・・保持筒      
６・・・・身筒      
７・・・・螺筒      
８・・・・本体筒      
９・・・・スリーブ        
５１・・・側壁
５３・・・螺合突部    
６０・・・貫通孔
６１ａ・・ガイド溝    
６１ｂ・・水平部
６１ｃ・・水平部
６２・・・嵌合部
６３・・・基部
６４ａ，６４ｂ・・・係合突部    
６５・・・ガイド部
６６・・・スリット    
６７・・・弾性部
６８・・・係合突部    
６９・・・押圧突部
７１・・・内壁
７３・・・螺旋溝
７５・・・係合部
７７・・・係合突部
７９・・・段部
８１ａ・・上部開口部  
８１ｂ・・下部開口部
８２・・・内面リブ
８３・・・スリーブガイド部
８４ａ・・ストッパー
８４ｂ・・ストッパー
８５・・・嵌合筒  
８６・・・切り欠き部
８７・・・嵌合部
８８・・・位置決め部
８９・・・固定部
９１・・・拡径部
９３・・・係合部
９５・・・段部
９７・・・出没口
９９・・・係合解除部
１００・・棒状化粧料
【手続補正３】
【補正対象書類名】図面
【補正対象項目名】図２
【補正方法】変更
【補正の内容】
【図２】
2010131279.tif 000001
【手続補正４】
【補正対象書類名】図面
【補正対象項目名】図５
【補正方法】変更
【補正の内容】
【図５】
2010131279.tif 000002